(57)【要約】    【課題】商店の店頭に購入履歴情報をＩＣカードに格納できる装置を備える必要がなく、現金による商品購入時の購入履歴情報をユーザの端末装置もしくは当該端末装置で動作するソフトウェアに直接取り込むことができる購入履歴情報活用方法、そのシステム及び装置を実現すること。    【解決手段】ユーザが現金と引き換えに商品を購入すると、商品販売者の管理装置２が一意の番号を発行し、これがレシート等に印刷されてユーザに知らされるとともに、前記商品の購入に関わる購入履歴情報が当該一意の番号を含めて情報提供者のサーバ装置３へ通信ネットワーク４を介して転送され、蓄積される。ユーザが端末装置１より通信ネットワーク４を介してサーバ装置３に前記一意の番号を送信すると、サーバ装置３は該一意の番号に対応する購入履歴情報を通信ネットワーク４を介して端末装置１へ送出する。【選択図】図１
2005327012.tif 000002
【特許請求の範囲】
【請求項１】
ユーザが現金と引き換えに商品販売者から商品を購入した時の購入履歴情報を活用する方法であって、
ユーザが使用する端末装置と、商品販売者が使用する管理装置と、情報提供者のサーバ装置と、これらを接続する通信ネットワークとを用い、
管理装置が、ユーザが現金と引き換えに商品を購入する毎に一意の番号を発行する一意番号発行手順と、
管理装置が、前記商品の購入に関わる購入履歴情報を前記一意の番号を含めて通信ネットワークを介してサーバ装置へ転送する購入情報転送手順と、
サーバ装置が、管理装置から通信ネットワークを介して前記一意の番号を含む購入履歴情報を受信し蓄積する購入情報蓄積手順と、
サーバ装置が、端末装置から通信ネットワークを介して一意の番号を受信した時に当該一意の番号に対応する購入履歴情報を通信ネットワークを介して端末装置へ送出する購入情報送出手順とを含む
ことを特徴とする購入履歴情報活用方法。
【請求項２】
請求項１に記載の購入履歴情報活用方法において、
購入履歴情報に広告情報を含めることを特徴とする購入履歴情報活用方法。
【請求項３】
ユーザが現金と引き換えに商品販売者から商品を購入した時の購入履歴情報を活用するシステムであって、
ユーザが使用する端末装置と、商品販売者が使用する管理装置と、情報提供者のサーバ装置と、これらを接続する通信ネットワークとからなり、
管理装置は、
通信ネットワークとの間の信号制御を行う通信制御手段と、
ユーザが現金と引き換えに商品を購入する毎に一意の番号を発行する一意番号発行手段と、
前記商品の購入に関わる購入履歴情報を前記一意の番号を含めてサーバ装置へ転送する購入情報転送手段とを具備し、
サーバ装置は、
通信ネットワークとの間の信号制御を行う通信制御手段と、
管理装置から前記一意の番号を含む購入履歴情報を受信し蓄積する購入情報蓄積手段と、
端末装置から一意の番号を受信した時に当該一意の番号に対応する購入履歴情報を端末装置へ送出する購入情報送出手段とを具備する
ことを特徴とする購入履歴情報活用システム。
【請求項４】
請求項３に記載の購入履歴情報活用システムにおいて、
購入履歴情報に広告情報を含めることを特徴とする購入履歴情報活用システム。
【請求項５】
ユーザが現金と引き換えに商品販売者から商品を購入した時の購入履歴情報を活用するシステムに含まれ、ユーザが使用する端末装置及び情報提供者のサーバ装置と通信ネットワークを介して接続される商品販売者の管理装置であって、
通信ネットワークとの間の信号制御を行う通信制御手段と、
ユーザが現金と引き換えに商品を購入する毎に一意の番号を発行する一意番号発行手段と、
前記商品の購入に関わる購入履歴情報を前記一意の番号を含めてサーバ装置へ転送する購入情報転送手段とを備えた
ことを特徴とする商品販売者の管理装置。
【請求項６】
請求項５に記載の商品販売者の管理装置において、
購入履歴情報に広告情報を含めることを特徴とする商品販売者の管理装置。
【請求項７】
ユーザが現金と引き換えに商品販売者から商品を購入した時の購入履歴情報を活用するシステムに含まれ、ユーザが使用する端末装置及び商品販売者が使用する管理装置と通信ネットワークを介して接続される情報提供者のサーバ装置であって、
通信ネットワークとの間の信号制御を行う通信制御手段と、
管理装置からユーザが現金と引き換えに商品を購入した時に発行された一意の番号を含む購入履歴情報を受信し蓄積する購入情報蓄積手段と、
端末装置から一意の番号を受信した時に当該一意の番号に対応する購入履歴情報を端末装置へ送出する購入情報送出手段とを備えた
ことを特徴とする情報提供者のサーバ装置。
【請求項８】
請求項７に記載の情報提供者のサーバ装置において、
購入履歴情報に広告情報を含めることを特徴とする情報提供者のサーバ装置。
【請求項９】
ユーザが現金と引き換えに商品販売者から商品を購入した時の購入履歴情報を活用する方法であって、
ユーザが使用する端末装置と、商品販売者が使用する管理装置と、情報提供者のサーバ装置と、これらを接続する通信ネットワークとを用い、
管理装置が、ユーザが現金と引き換えに商品を購入する毎に一意の番号を発行する一意番号発行手順と、
管理装置が、前記商品の購入に関わる購入履歴情報を前記一意の番号を含めて通信ネットワークを介してサーバ装置へ転送する購入情報転送手順と、
サーバ装置が、管理装置から通信ネットワークを介して前記一意の番号を含む購入履歴情報を受信し蓄積する購入情報蓄積手順と、
サーバ装置が、端末装置から通信ネットワークを介して一意の番号及び会員番号を受信した時に当該一意の番号に対応する購入履歴情報を通信ネットワークを介して端末装置へ送出する購入情報送出手順と、
サーバ装置が、会員番号毎にアクセス履歴を蓄積するアクセス履歴蓄積手順と、
管理装置が、購入者の統計データを要求する購入者統計データ要求情報を通信ネットワークを介してサーバ装置へ送出する統計データ要求手順と、
サーバ装置が、管理装置から通信ネットワークを介して購入者統計データ要求情報を受信した時に購入者の統計データを作成し通信ネットワークを介して管理装置へ送信する統計データ送信手順とを含む
ことを特徴とする購入履歴情報活用方法。
【請求項１０】
請求項９に記載の購入履歴情報活用方法において、
購入履歴情報に広告情報を含めることを特徴とする購入履歴情報活用方法。
【請求項１１】
ユーザが現金と引き換えに商品販売者から商品を購入した時の購入履歴情報を活用するシステムであって、
ユーザが使用する端末装置と、商品販売者が使用する管理装置と、情報提供者のサーバ装置と、これらを接続する通信ネットワークとからなり、
管理装置は、
通信ネットワークとの間の信号制御を行う通信制御手段と、
ユーザが現金と引き換えに商品を購入する毎に一意の番号を発行する一意番号発行手段と、
前記商品の購入に関わる購入履歴情報を前記一意の番号を含めてサーバ装置へ転送する購入情報転送手段と、
購入者の統計データを要求する購入者統計データ要求情報をサーバ装置へ送出する統計データ要求手段とを具備し、
サーバ装置は、
通信ネットワークとの間の信号制御を行う通信制御手段と、
管理装置から前記一意の番号を含む購入履歴情報を受信し蓄積する購入情報蓄積手段と、
端末装置から一意の番号及び会員番号を受信した時に当該一意の番号に対応する購入履歴情報を通信ネットワークを介して端末装置へ送出する購入情報送出手段と、
会員番号毎にアクセス履歴を蓄積するアクセス履歴蓄積手段と、
管理装置から購入者統計データ要求情報を受信した時に購入者の統計データを作成し管理装置へ送信する統計データ送信手段とを具備する
ことを特徴とする購入履歴情報活用システム。
【請求項１２】
請求項１１に記載の購入履歴情報活用システムにおいて、
購入履歴情報に広告情報を含めることを特徴とする購入履歴情報活用システム。
【請求項１３】
ユーザが現金と引き換えに商品販売者から商品を購入した時の購入履歴情報を活用するシステムに含まれ、ユーザが使用する端末装置及び情報提供者のサーバ装置と通信ネットワークを介して接続される商品販売者の管理装置であって、
通信ネットワークとの間の信号制御を行う通信制御手段と、
ユーザが現金と引き換えに商品を購入する毎に一意の番号を発行する一意番号発行手段と、
前記商品の購入に関わる購入履歴情報を前記一意の番号を含めてサーバ装置へ転送する購入情報転送手段と、
購入者の統計データを要求する購入者統計データ要求情報をサーバ装置へ送出する統計データ要求手段とを備えた
ことを特徴とする商品販売者の管理装置。
【請求項１４】
請求項１３に記載の商品販売者の管理装置において、
購入履歴情報に広告情報を含めることを特徴とする商品販売者の管理装置。
【請求項１５】
ユーザが現金と引き換えに商品販売者から商品を購入した時の購入履歴情報を活用するシステムに含まれ、ユーザが使用する端末装置及び商品販売者が使用する管理装置と通信ネットワークを介して接続される情報提供者のサーバ装置であって、
通信ネットワークとの間の信号制御を行う通信制御手段と、
管理装置からユーザが現金と引き換えに商品を購入した時に発行された一意の番号を含む購入履歴情報を受信し蓄積する購入情報蓄積手段と、
端末装置から一意の番号及び会員番号を受信した時に当該一意の番号に対応する購入履歴情報を端末装置へ送出する購入情報送出手段と、
会員番号毎にアクセス履歴を蓄積するアクセス履歴蓄積手段と、
管理装置から購入者の統計データを要求する購入者統計データ要求情報を受信した時に購入者の統計データを作成し管理装置へ送信する統計データ送信手段とを備えた
ことを特徴とする情報提供者のサーバ装置。
【請求項１６】
請求項１５に記載の情報提供者のサーバ装置において、
購入履歴情報に広告情報を含めることを特徴とする情報提供者のサーバ装置。
【発明の詳細な説明】
【技術分野】
【０００１】
本発明は、ユーザが商品を購入した時、特に現金と引き換えに商品を購入した時の情報を活用する方法、そのシステム及び装置に関する。
【背景技術】
【０００２】
従来より、オンラインバンキングやオンラインショッピング等において、ユーザがクレジットカード番号等の入力と引き換えに商品を購入した時、商品名、数量、購入金額、購入日時等の情報を含む電子化された購入履歴情報を取得し、当該購入履歴情報をユーザのＰＣ（Personal Computer）等に取り込み、活用することが可能になっている。
【０００３】
一方、商店の店頭やサービス窓口等において、ユーザが現金と引き換えに商品を購入した時に前述したような電子化された購入履歴情報を取得する方法としては、例えば特許文献１に記載されたものがある。
【０００４】
特許文献１には、金融機関口座に対する現金の引き出し・入金時の入出金履歴情報や商店等における現金による商品購入時の購入履歴情報を、当該金融機関や商店の店頭に設置された端末装置等を介してＩＣカードに格納し、このＩＣカードに格納された入出金履歴情報や購入履歴情報をユーザのＰＣ等で動作する家計管理ソフトに直接的に取り込めるようにすることにより、該家計管理ソフトの使用に際して発生する手作業による購入履歴情報の入力作業を軽減させることができる方法が開示されている。
【特許文献１】特開平９−１０６４２２号公報（「家計管理支援システム」）
【発明の開示】
【発明が解決しようとする課題】
【０００５】
しかしながら、このような従来の方法では、全ての金融機関や商店の店頭に入出金履歴情報や購入履歴情報をＩＣカードに格納できる装置を備えなければならないという問題があった。
【０００６】
ここにおいて、本発明の解決すべき主要な課題は、上記の問題を解決し、商店の店頭に購入履歴情報をＩＣカードに格納できる装置を備える必要がなく、現金による商品購入時の購入履歴情報をユーザの端末装置もしくは当該端末装置で動作するソフトウェアに直接取り込むことができる購入履歴情報活用方法、そのシステム及び装置を実現することにある。
【課題を解決するための手段】
【０００７】
本発明は、上記の課題を解決するために下記に述べる手順あるいは手段を講じるものである。
【０００８】
請求項１に記載の本発明の購入履歴情報活用方法は、ユーザが現金と引き換えに商品販売者から商品を購入した時の購入履歴情報を活用する方法であって、ユーザが使用する端末装置と、商品販売者が使用する管理装置と、情報提供者のサーバ装置と、これらを接続する通信ネットワークとを用い、管理装置が、ユーザが現金と引き換えに商品を購入する毎に一意の番号を発行する一意番号発行手順と、管理装置が、前記商品の購入に関わる購入履歴情報を前記一意の番号を含めて通信ネットワークを介してサーバ装置へ転送する購入情報転送手順と、サーバ装置が、管理装置から通信ネットワークを介して前記一意の番号を含む購入履歴情報を受信し蓄積する購入情報蓄積手順と、サーバ装置が、端末装置から通信ネットワークを介して一意の番号を受信した時に当該一意の番号に対応する購入履歴情報を通信ネットワークを介して端末装置へ送出する購入情報送出手順とを含むことを特徴とする。
【０００９】
また、請求項２に記載の本発明の購入履歴情報活用方法は、購入履歴情報に広告情報を含めることを特徴とする。
【００１０】
上記に述べた方法により、商店の店頭に購入履歴情報をＩＣカードに格納できる装置を備えることなく、現金による商品購入時の購入履歴情報をユーザの端末装置もしくは当該端末装置で動作するソフトウェアに直接取り込むことができる方法が実施可能になる。
【００１１】
請求項３に記載の本発明の購入履歴情報活用システムは、ユーザが現金と引き換えに商品販売者から商品を購入した時の購入履歴情報を活用するシステムであって、ユーザが使用する端末装置と、商品販売者が使用する管理装置と、情報提供者のサーバ装置と、これらを接続する通信ネットワークとからなり、管理装置は、通信ネットワークとの間の信号制御を行う通信制御手段と、ユーザが現金と引き換えに商品を購入する毎に一意の番号を発行する一意番号発行手段と、前記商品の購入に関わる購入履歴情報を前記一意の番号を含めてサーバ装置へ転送する購入情報転送手段とを具備し、サーバ装置は、通信ネットワークとの間の信号制御を行う通信制御手段と、管理装置から前記一意の番号を含む購入履歴情報を受信し蓄積する購入情報蓄積手段と、端末装置から一意の番号を受信した時に当該一意の番号に対応する購入履歴情報を端末装置へ送出する購入情報送出手段とを具備することを特徴とする。
【００１２】
また、請求項４に記載の本発明の購入履歴情報活用システムは、購入履歴情報に広告情報を含めることを特徴とする。
【００１３】
上記に述べたシステムにより、商店の店頭に購入履歴情報をＩＣカードに格納できる装置を備えることなく、現金による商品購入時の購入履歴情報をユーザの端末装置もしくは当該端末装置で動作するソフトウェアに直接取り込むことができるシステムが実施可能になる。
【００１４】
請求項５に記載の本発明の商品販売者の管理装置は、ユーザが現金と引き換えに商品販売者から商品を購入した時の購入履歴情報を活用するシステムに含まれ、ユーザが使用する端末装置及び情報提供者のサーバ装置と通信ネットワークを介して接続される商品販売者の管理装置であって、通信ネットワークとの間の信号制御を行う通信制御手段と、ユーザが現金と引き換えに商品を購入する毎に一意の番号を発行する一意番号発行手段と、前記商品の購入に関わる購入履歴情報を前記一意の番号を含めてサーバ装置へ転送する購入情報転送手段とを備えたことを特徴とする。
【００１５】
また、請求項６に記載の本発明の商品販売者の管理装置は、購入履歴情報に広告情報を含めることを特徴とする。
【００１６】
上記に述べた商品販売者の管理装置により、商店の店頭に購入履歴情報をＩＣカードに格納できる装置を備えることなく、現金による商品購入時の購入履歴情報をユーザの端末装置もしくは当該端末装置で動作するソフトウェアに直接取り込むことができる商品販売者の管理装置が構築可能になる。
【００１７】
請求項７に記載の本発明の情報提供者のサーバ装置は、ユーザが現金と引き換えに商品販売者から商品を購入した時の購入履歴情報を活用するシステムに含まれ、ユーザが使用する端末装置及び商品販売者が使用する管理装置と通信ネットワークを介して接続される情報提供者のサーバ装置であって、通信ネットワークとの間の信号制御を行う通信制御手段と、管理装置からユーザが現金と引き換えに商品を購入した時に発行された一意の番号を含む購入履歴情報を受信し蓄積する購入情報蓄積手段と、端末装置から一意の番号を受信した時に当該一意の番号に対応する購入履歴情報を端末装置へ送出する購入情報送出手段とを備えたことを特徴とする。
【００１８】
また、請求項８に記載の本発明の情報提供者のサーバ装置は、購入履歴情報に広告情報を含めることを特徴とする。
【００１９】
上記に述べた情報提供者のサーバ装置により、商店の店頭に購入履歴情報をＩＣカードに格納できる装置を備えることなく、現金による商品購入時の購入履歴情報をユーザの端末装置もしくは当該端末装置で動作するソフトウェアに直接取り込むことができる情報提供者のサーバ装置が構築可能になる。
【００２０】
請求項９に記載の本発明の購入履歴情報活用方法は、ユーザが現金と引き換えに商品販売者から商品を購入した時の購入履歴情報を活用する方法であって、ユーザが使用する端末装置と、商品販売者が使用する管理装置と、情報提供者のサーバ装置と、これらを接続する通信ネットワークとを用い、管理装置が、ユーザが現金と引き換えに商品を購入する毎に一意の番号を発行する一意番号発行手順と、管理装置が、前記商品の購入に関わる購入履歴情報を前記一意の番号を含めて通信ネットワークを介してサーバ装置へ転送する購入情報転送手順と、サーバ装置が、管理装置から通信ネットワークを介して前記一意の番号を含む購入履歴情報を受信し蓄積する購入情報蓄積手順と、サーバ装置が、端末装置から通信ネットワークを介して一意の番号及び会員番号を受信した時に当該一意の番号に対応する購入履歴情報を通信ネットワークを介して端末装置へ送出する購入情報送出手順と、サーバ装置が、会員番号毎にアクセス履歴を蓄積するアクセス履歴蓄積手順と、管理装置が、購入者の統計データを要求する購入者統計データ要求情報を通信ネットワークを介してサーバ装置へ送出する統計データ要求手順と、サーバ装置が、管理装置から通信ネットワークを介して購入者統計データ要求情報を受信した時に購入者の統計データを作成し通信ネットワークを介して管理装置へ送信する統計データ送信手順とを含むことを特徴とする。
【００２１】
また、請求項１０に記載の本発明の購入履歴情報活用方法は、購入履歴情報に広告情報を含めることを特徴とする。
【００２２】
上記に述べた方法により、商店の店頭に購入履歴情報をＩＣカードに格納できる装置を備えることなく、現金による商品購入時の購入履歴情報をユーザの端末装置もしくは当該端末装置で動作するソフトウェアに直接取り込むことができ、更にユーザに対してはアクセス履歴の蓄積に応じて特典を付与したり、商品販売者に対しては購入者の統計データを送出できる方法が実施可能になる。
【００２３】
請求項１１に記載の本発明の購入履歴情報活用システムは、ユーザが現金と引き換えに商品販売者から商品を購入した時の購入履歴情報を活用するシステムであって、ユーザが使用する端末装置と、商品販売者が使用する管理装置と、情報提供者のサーバ装置と、これらを接続する通信ネットワークとからなり、管理装置は、通信ネットワークとの間の信号制御を行う通信制御手段と、ユーザが現金と引き換えに商品を購入する毎に一意の番号を発行する一意番号発行手段と、前記商品の購入に関わる購入履歴情報を前記一意の番号を含めてサーバ装置へ転送する購入情報転送手段と、購入者の統計データを要求する購入者統計データ要求情報をサーバ装置へ送出する統計データ要求手段とを具備し、サーバ装置は、通信ネットワークとの間の信号制御を行う通信制御手段と、管理装置から前記一意の番号を含む購入履歴情報を受信し蓄積する購入情報蓄積手段と、端末装置から一意の番号及び会員番号を受信した時に当該一意の番号に対応する購入履歴情報を通信ネットワークを介して端末装置へ送出する購入情報送出手段と、会員番号毎にアクセス履歴を蓄積するアクセス履歴蓄積手段と、管理装置から購入者統計データ要求情報を受信した時に購入者の統計データを作成し管理装置へ送信する統計データ送信手段とを具備することを特徴とする。
【００２４】
また、請求項１２に記載の本発明の購入履歴情報活用システムは、購入履歴情報に広告情報を含めることを特徴とする。
【００２５】
上記に述べたシステムにより、商店の店頭に購入履歴情報をＩＣカードに格納できる装置を備えることなく、現金による商品購入時の購入履歴情報をユーザの端末装置もしくは当該端末装置で動作するソフトウェアに直接取り込むことができ、更にユーザに対してはアクセス履歴の蓄積に応じて特典を付与したり、商品販売者に対しては購入者の統計データを送出できるシステムが実施可能になる。
【００２６】
請求項１３に記載の本発明の商品販売者の管理装置は、ユーザが現金と引き換えに商品販売者から商品を購入した時の購入履歴情報を活用するシステムに含まれ、ユーザが使用する端末装置及び情報提供者のサーバ装置と通信ネットワークを介して接続される商品販売者の管理装置であって、通信ネットワークとの間の信号制御を行う通信制御手段と、ユーザが現金と引き換えに商品を購入する毎に一意の番号を発行する一意番号発行手段と、前記商品の購入に関わる購入履歴情報を前記一意の番号を含めてサーバ装置へ転送する購入情報転送手段と、購入者の統計データを要求する購入者統計データ要求情報をサーバ装置へ送出する統計データ要求手段とを備えたことを特徴とする。
【００２７】
また、請求項１４に記載の本発明の商品販売者の管理装置は、購入履歴情報に広告情報を含めることを特徴とする。
【００２８】
上記に述べた商品販売者の管理装置により、商店の店頭に購入履歴情報をＩＣカードに格納できる装置を備えることなく、現金による商品購入時の購入履歴情報をユーザの端末装置もしくは当該端末装置で動作するソフトウェアに直接取り込むことができ、更にユーザに対してはアクセス履歴の蓄積に応じて特典を付与したり、商品販売者に対しては購入者の統計データを送出できる商品販売者の管理装置が構築可能になる。
【００２９】
請求項１５に記載の本発明の情報提供者のサーバ装置は、ユーザが現金と引き換えに商品販売者から商品を購入した時の購入履歴情報を活用するシステムに含まれ、ユーザが使用する端末装置及び商品販売者が使用する管理装置と通信ネットワークを介して接続される情報提供者のサーバ装置であって、通信ネットワークとの間の信号制御を行う通信制御手段と、管理装置からユーザが現金と引き換えに商品を購入した時に発行された一意の番号を含む購入履歴情報を受信し蓄積する購入情報蓄積手段と、端末装置から一意の番号及び会員番号を受信した時に当該一意の番号に対応する購入履歴情報を端末装置へ送出する購入情報送出手段と、会員番号毎にアクセス履歴を蓄積するアクセス履歴蓄積手段と、管理装置から購入者の統計データを要求する購入者統計データ要求情報を受信した時に購入者の統計データを作成し管理装置へ送信する統計データ送信手段とを備えたことを特徴とする。
【００３０】
また、請求項１６に記載の本発明の情報提供者のサーバ装置は、購入履歴情報に広告情報を含めることを特徴とする。
【００３１】
上記に述べた情報提供者のサーバ装置により、商店の店頭に購入履歴情報をＩＣカードに格納できる装置を備えることなく、現金による商品購入時の購入履歴情報をユーザの端末装置もしくは当該端末装置で動作するソフトウェアに直接取り込むことができ、更にユーザに対してはアクセス履歴の蓄積に応じて特典を付与したり、商品販売者に対しては購入者の統計データを送出できる情報提供者のサーバ装置が構築可能になる。
【００３２】
なお、本発明でいう「商品」には、有体物はもとより、サービス等の無体物も含まれるものとする。
【発明の効果】
【００３３】
上記に述べた本発明によれば、下記に述べる効果ないし利点がある。
（１）ユーザにとっては、家計管理ソフト等の使用に際して発生する手作業による購入履歴情報の入力作業が軽減され、また入力ミスを回避することができる。
（２）商品販売者にとっては、ユーザへの利便性の向上が期待できることから、他社との差別化やユーザの囲い込みが図れる。
【発明を実施するための最良の形態】
【００３４】
本発明を実施するための最良の形態について図面を参照して説明する。
【００３５】
＜第１の実施の形態＞
図１は本発明にかかる購入履歴情報活用システムの第１の実施の形態を示すもので、図中、１はユーザの端末装置、２は商品販売者の管理装置、３は情報提供者のサーバ装置、４は通信ネットワークである。
【００３６】
ユーザの端末装置１は、ＰＣ等で構成された、ユーザが使用する端末装置である。
【００３７】
図２は本発明にかかる商品販売者の管理装置の第１の実施の形態、ここでは図１中の管理装置２の詳細を示すもので、ＰＣ等で構成され、通信制御手段２１、一意番号発行手段２２及び購入情報転送手段２３を備えている。
【００３８】
ここで、通信制御手段２１は、通信ネットワーク４との間の信号制御を行う。また、一意番号発行手段２２は、任意のユーザが現金と引き換えに商品を購入する毎に一意の番号を発行する。なお、この一意の番号は商品購入時に渡されるレシート等に印刷されて当該任意のユーザに知らされる。また、購入情報転送手段２３は、前記商品の購入に関わる購入履歴情報を前記一意の番号を含めてサーバ装置３へ転送する。
【００３９】
なお、一意番号発行手段２２が発行する一意の番号は、２次元を含むバーコードとしてレシート等に印刷しても良く、この場合、ユーザの端末装置１では一意の番号をバーコードリーダを介して入力することになる。また、購入履歴情報に含まれるものとしては、購入した商品の名称（商品名）、数量、原材料名、製造者名、購入金額、購入日時等があり、更に、広告情報を含めても良い。
【００４０】
図３は本発明にかかる情報提供者のサーバ装置の第１の実施の形態、ここでは図１中のサーバ装置３の詳細を示すもので、ＰＣ等で構成され、通信制御手段３１、購入情報蓄積手段３２及び購入情報送出手段３３を備えている。
【００４１】
ここで、通信制御手段３１は、通信ネットワーク４との間の信号制御を行う。また、購入情報蓄積手段３２は、管理装置２から送出される、ユーザが現金と引き換えに商品を購入した時に発行された一意の番号を含む購入履歴情報を受信し、蓄積する。また、購入情報送出手段３３は、端末装置１からアクセスされ、一意の番号を受信すると、購入情報蓄積手段３２から当該一意の番号に対応する購入履歴情報を検索し、これを端末装置１へ送出する。
【００４２】
通信ネットワーク４は、端末装置１、管理装置２及びサーバ装置３を相互に通信可能に接続する。
【００４３】
なお、図１では端末装置１及び管理装置２をそれぞれ１つのみ示したが、複数存在しても良い。
【００４４】
上記に述べたことにより、本システムは現金による商品購入時に一意の番号を発行し、この一意の番号に基づき購入履歴情報の送出を行う機能を有することになる。
【００４５】
図４は本発明にかかる購入履歴情報活用方法の第１の実施の形態、ここでは端末装置１、管理装置２及びサーバ装置３間の動作シーケンス、並びに管理装置２及びサーバ装置３の動作フローを示す。
【００４６】
以下、図１から図４までを用いて管理装置２及びサーバ装置３の動作を含む本発明方法の手順を説明する。
【００４７】
ユーザが現金と引き換えに商品を購入すると、商品販売者の管理装置２の一意番号発行手段２２が一意の番号を発行し（ステップ１をｓ１と称する。以下同様）、これをレシート等を介して当該ユーザへ知らせるとともに購入情報転送手段２３に渡すことにより、該購入情報転送手段２３が前記商品の購入に関わる購入履歴情報を前記一意の番号を含めて通信制御手段２１により通信ネットワーク４を介して情報提供者のサーバ装置３へ転送する（ｓ２）。情報提供者のサーバ装置３の購入情報蓄積手段３２が通信制御手段３１により通信ネットワーク４を介して前記一意の番号を含む購入履歴情報を受信し、蓄積する（ｓ３）。
【００４８】
一意の番号の発行を受けたユーザの端末装置１が通信ネットワーク４を介して情報提供者のサーバ装置３にアクセスし、一意の番号を送信すると（ｓ４）、情報提供者のサーバ装置３の購入情報送出手段３３が通信制御手段３１により通信ネットワーク４を介して前記一意の番号を受信し、購入情報蓄積手段３２から当該一意の番号に対応する購入履歴情報を検索し、これを通信制御手段３１により通信ネットワーク４を介して端末装置１へ送出する（ｓ５）。この際、購入履歴情報には広告情報を含めても良い。
【００４９】
これにより、従来できなかった、商店の店頭に購入履歴情報をＩＣカードに格納できる装置を備えることなく、現金による商品購入時の購入履歴情報をユーザの端末装置もしくは当該端末装置で動作するソフトウェアに直接取り込むことができるようになる。
【００５０】
＜第２の実施の形態＞
図５は本発明にかかる購入履歴情報活用システムの第２の実施の形態、ここでは商品販売者に対して購入者の統計データを提供可能とした例を示すもので、図中、図１と同一構成部分は同一符号をもって表す。即ち、１はユーザの端末装置、４は通信ネットワーク、２０は商品販売者の管理装置、３０は情報提供者のサーバ装置である。
【００５１】
図６は本発明にかかる商品販売者の管理装置の第２の実施の形態、ここでは図５中の管理装置２０の詳細を示すもので、該管理装置２０は通信制御手段２１、一意番号発行手段２２、購入情報転送手段２３及び統計データ要求手段２４を備えている。
【００５２】
統計データ要求手段２４は、年齢別の購入品一覧等、ユーザの商品購入動向に関する統計データ（購入者の統計データ）を要求する購入者統計データ要求情報をサーバ装置３０へ送出する。
【００５３】
なお、通信制御手段２１、一意番号発行手段２２及び購入情報転送手段２３は、第１の実施の形態の場合と同様である。
【００５４】
図７は本発明にかかる情報提供者のサーバ装置の第２の実施の形態、ここでは図５中のサーバ装置３０の詳細を示すもので、該サーバ装置３０は通信制御手段３１、購入情報蓄積手段３２、購入情報送出手段３４、アクセス履歴蓄積手段３５及び統計データ送信手段３６を備えている。
【００５５】
購入情報送出手段３４は、端末装置１からアクセスされ、一意の番号及び予め情報提供者が各ユーザに対して発行した会員番号を受信すると、購入情報蓄積手段３２から当該一意の番号に対応する購入履歴情報を検索し、これを端末装置１へ送出するとともに、前記会員番号及び購入履歴情報をアクセス履歴蓄積手段３５へ渡す。また、アクセス履歴蓄積手段３５は、購入情報送出手段３４からの情報に基づき会員番号毎にアクセス履歴を蓄積し、当該アクセス履歴の蓄積に応じてポイント付与数等の特典を付与したり、更にユーザの要望に応じて貯まったポイント数等の特定の内容を該当するユーザの端末装置１へ通知する。また、統計データ送信手段３６は、管理装置２０から購入者の統計データを要求する購入者統計データ要求情報を受信すると、アクセス履歴蓄積手段３５に蓄積されているアクセス履歴から購入者の統計データを作成し、これを管理装置２０へ送信する。
【００５６】
なお、通信制御手段３１及び購入情報蓄積手段３２は、第１の実施の形態の場合と同様である。
【００５７】
上記に述べたことにより、本システムは現金による商品購入時に一意の番号を発行し、この一意の番号に基づき購入履歴情報の送出を行うことに加え、情報提供者の会員であるユーザに対してはアクセス履歴の蓄積に応じた特典を与えたり、商品販売者に対しては購入者の統計データを提供する機能を有することになる。
【００５８】
図８は本発明にかかる購入履歴情報活用方法の第２の実施の形態、ここでは端末装置１、管理装置２０及びサーバ装置３０間の動作シーケンス、並びに管理装置２０及びサーバ装置３０の動作フローを示す。
【００５９】
以下、図５から図８までを用いて管理装置２０及びサーバ装置３０の動作を含む本発明方法の手順を説明する。
【００６０】
ユーザが現金と引き換えに商品を購入すると、商品販売者の管理装置２０の一意番号発行手段２２が一意の番号を発行し（ｓ１１）、これをレシート等を介してユーザに知らせるとともに購入情報転送手段２３に渡すことにより、該購入情報転送手段２３が前記商品の購入に関わる購入履歴情報を前記一意の番号を含めて通信制御手段２１により通信ネットワーク４を介して情報提供者のサーバ装置３０へ転送する（ｓ１２）。情報提供者のサーバ装置３０の購入情報蓄積手段３２が通信制御手段３１により通信ネットワーク４を介して前記一意の番号を含む購入履歴情報を受信し、蓄積する（ｓ１３）。
【００６１】
一意の番号の発行を受けたユーザの端末装置１が通信ネットワーク４を介して情報提供者のサーバ装置３０にアクセスし、一意の番号及び会員番号を送信すると（ｓ１４）、情報提供者のサーバ装置３０の購入情報送出手段３４が通信制御手段３１により通信ネットワーク４を介して前記一意の番号及び会員番号を受信し、購入情報蓄積手段３２から当該一意の番号に対応する購入履歴情報を検索し、これを通信制御手段３１により通信ネットワーク４を介して端末装置１へ送出する（ｓ１５）。この際、購入履歴情報には広告情報を含めても良い。また、購入情報送出手段３４は、前記会員番号及び購入履歴情報をアクセス履歴蓄積手段３５へ渡し、アクセス履歴蓄積手段３５が会員番号毎にアクセス履歴を蓄積し、アクセス履歴に応じて特典を付与し、更にユーザの要望に応じて特典の内容を通信制御手段３１により通信ネットワーク４を介してユーザの端末装置１へ通知する（ｓ１６）。
【００６２】
一方、商品販売者の管理装置２０の統計データ要求手段２４が定期的あるいは随意に購入者統計データ要求情報を通信制御手段２１により通信ネットワーク４を介して情報提供者のサーバ装置３０に送出し（ｓ１７）、情報提供者のサーバ装置３０の統計データ送信手段２５が通信制御手段３１により通信ネットワーク４を介して購入者統計データ要求情報を受信すると、アクセス履歴蓄積手段３５に蓄積されているアクセス履歴から購入者の統計データを作成し、これを通信制御手段３１により通信ネットワーク４を介して商品販売者の管理装置２０へ送出する（ｓ１８）。
【００６３】
これにより、従来できなかった、商店の店頭に購入履歴情報をＩＣカードに格納できる装置を備えることなく、現金による商品購入時の購入履歴情報をユーザの端末装置もしくは当該端末装置で動作するソフトウェアに直接取り込むことができるようになり、更にユーザに対してはアクセスに応じた特典を与え、商品販売者に対しては購入者の統計データを提供できるようになる。
【産業上の利用可能性】
【００６４】
上記に説明した通り、本発明が産業上の利用が可能であることは明らかである。即ち、現金による商品購入時の購入履歴情報をユーザの端末装置もしくは当該端末装置で動作するソフトウェアに直接取り込むことができるようになり、使用に際して発生する手作業が軽減されることから、端末装置や家計管理ソフト等の早期の活用普及が期待できる。
【図面の簡単な説明】
【００６５】
【図１】本発明にかかる購入履歴情報活用システムの第１の実施の形態を示す構成図
【図２】本発明にかかる商品販売者の管理装置装置の第１の実施の形態を示す機能ブロック図
【図３】本発明にかかる情報提供者のサーバ装置の第１の実施の形態を示す機能ブロック図
【図４】本発明にかかる購入履歴情報活用方法の第１の実施の形態を示す動作シーケンスチャート
【図５】本発明にかかる購入履歴情報活用システムの第２の実施の形態を示す構成図
【図６】本発明にかかる商品販売者の管理装置装置の第２の実施の形態を示す機能ブロック図
【図７】本発明にかかる情報提供者のサーバ装置の第２の実施の形態を示す機能ブロック図
【図８】本発明にかかる購入履歴情報活用方法の第２の実施の形態を示す動作シーケンスチャート
【符号の説明】
【００６６】
１：端末装置、２，２０：管理装置、３，３０：サーバ装置、４：通信ネットワーク、２１，３１：通信制御手段、２２：一意番号発行手段、２３：購入情報転送手段、２４：統計データ要求手段、３２：購入情報蓄積手段、３３，３４：購入情報送出手段、３５：アクセス履歴蓄積手段、３６：統計データ送出手段。
【図１】
2005327012.tif 000003
【図２】
2005327012.tif 000004
【図３】
2005327012.tif 000005
【図４】
2005327012.tif 000006
【図５】
2005327012.tif 000007
【図６】
2005327012.tif 000008
【図７】
2005327012.tif 000009
【図８】
2005327012.tif 000010